(57)【特許請求の範囲】
【請求項１】
蓄電池と熱交換を行う熱媒体を前記蓄電池に供給する電池温度調節装置であって、
外部電源から供給される電力を変換して前記蓄電池に供給する電力変換装置が備える直流−直流変換器にて前記蓄電池の電力を変換した駆動用電力が供給され、
前記蓄電池の急速充電時に前記蓄電池の温度調節を行う際に前記駆動用電力が供給されることを特徴とする電池温度調節装置。
【請求項２】
前記蓄電池の放電時に前記蓄電池の温度調節を行う際に前記駆動用電力が供給されることを特徴とする請求項１に記載の電池温度調節装置。
【請求項３】
前記電力変換装置を搭載した車両において、
請求項１又は請求項２に記載の電池温度調節装置を搭載したことを特徴とする車両。
【発明の詳細な説明】
【技術分野】
【０００１】
本発明は、蓄電池の温度調節を行う電池温度調節装置、及びその電池温度調節装置を搭載した車両に関する。
【背景技術】
【０００２】
ＥＶ（Electric Vehicle）やＰＨＶ（Plug in Hybrid Vehicle）などの車両には、当該車両の原動機となる電動機（モータ）への供給電力を蓄える蓄電池が搭載されている。そして、この種の車両には、蓄電池が低温環境下や高温環境下で使用されることを考慮し、蓄電池の温度を適正範囲に維持するための電池温度調節装置が装備されている。例えば、特許文献１の車両には、蓄電池と熱交換を行うための熱媒体を供給（生成）する手段（特許文献１ではペルチェ素子）を使って空気を加温又は冷却し、その加温後又は冷却後の空気により蓄電池の温度調節を行う電池温度調節装置が搭載されている。
【先行技術文献】
【特許文献】
【０００３】
【特許文献１】特開２００９−１１０８２９号公報
【発明の概要】
【発明が解決しようとする課題】
【０００４】
ところで、電池温度調節装置では、熱媒体を供給する手段を駆動するために当該手段に対して電力を供給する。この電力は、蓄電池に蓄えられている電力を使用することになるが、蓄電池に蓄えられている電力を前記手段の駆動用電力に変換する必要がある。このため、電池温度調節装置の構成を簡素化するためには、蓄電池の電力を、如何なる手段を用いて前記手段の駆動用電力に変換するかを考えなければならない。
【０００５】
この発明は、このような従来の技術に存在する問題点に着目してなされたものであり、構成の簡素化を図った電池温度調節装置、及びその電池温度調節装置を搭載した車両を提供することにある。
【課題を解決するための手段】
【０００６】
上記問題点を解決するために、請求項１に記載の発明は、蓄電池と熱交換を行う熱媒体を前記蓄電池に供給する電池温度調節装置であって、外部電源から供給される電力を変換して前記蓄電池に供給する電力変換装置が備える直流−直流変換器にて前記蓄電池の電力を変換した駆動用電力が供給され、前記蓄電池の急速充電時に前記蓄電池の温度調節を行う際に前記駆動用電力が供給されることを要旨とする。
【０００７】
これによれば、電池温度調節装置へ供給される駆動用電力を、外部電源から供給される電力を変換して蓄電池に供給する電力変換装置が備える直流−直流変換器を利用して変換することができる。すなわち、電池温度調節装置に供給する駆動用電力を得るために、専用の直流−直流変換器を設ける必要がない。したがって、構成を簡素化することができる。また、蓄電池の温度上昇を伴う急速充電時において、電力変換装置の直流−直流変換器で変換された電力を使って蓄電池の温度調節を行うことができる。したがって、充電後の蓄電池の放電性能の低下を抑制することができる。
【０００８】
請求項２に記載の発明は、請求項１に記載の電池温度調節装置において、前記蓄電池の放電時に前記蓄電池の温度調節を行う際に前記駆動用電力が供給されることを要旨とする。
【０００９】
これによれば、電力変換装置の直流−直流変換器で変換された電力を使って蓄電池の放電時に、当該蓄電池の温度調節を行うことができる。したがって、蓄電池の放電性能の低下を抑制することができる。
【００１２】
請求項３に記載の発明は、前記電力変換装置を搭載した車両において、請求項１又は請求項２に記載の電池温度調節装置を搭載したことを要旨とする。
これによれば、車両に搭載されている電力変換装置の直流−直流変換器を使って電池温度調節装置を駆動させることができる。したがって、専用の直流−直流変換器を設ける必要がないので、車両としても構成を簡素化することができる。また、蓄電池の温度調節により、車両の走行性能の低下を抑制することができる。
【発明の効果】
【００１３】
本発明によれば、電池温度調節装置の構成の簡素化を図ることができる。
【図面の簡単な説明】
【００１４】
【図１】電池温度調節装置を搭載した車両の構成を示すブロック図。
【図２】同じく、ブロック図。
【発明を実施するための形態】
【００１５】
以下、本発明を具体化した一実施形態を図１及び図２にしたがって説明する。
図１に示すように、車両（本実施形態ではＰＨＶ）１０には、電池パック１２が搭載されている。電池パック１２は、外部電源１１に接続される図示しない充電用プラグを介して供給される電力を充電用の電力に変換して充電する車載用の充電器１３と、その充電器１３によって充電される蓄電池としてのメインバッテリ１４を備えている。また、電池パック１２は、メインバッテリ１４の温度調節（冷却又は加温）を行う電池温度調節装置（以下、「温調装置」と言う）１５を備えている。
【００１６】
充電器１３は、外部電源１１から入力された交流の電力を直流に変換するための図示しないＡＣ／ＤＣコンバータと、その変換後の直流の電力を所定の充電用電力に変換するＤＣ／ＤＣコンバータ１３ａを備えている。メインバッテリ１４は、ＤＣ／ＤＣコンバータ１３ａによる変換後の電力によって充電される。本実施形態において充電器１３は、外部電源１１から供給される電力を変換して蓄電池に供給する電力変換装置となり、充電器１３が備えるＤＣ／ＤＣコンバータ１３ａが直流−直流変換器となる。
【００１７】
温調装置１５は、熱媒体となる外気を取り込んでメインバッテリ１４に供給する送風機１５ａと、取り込んだ外気をメインバッテリ１４に導く図示しない導入路に設けられるとともに取り込んだ外気を加温又は冷却するペルチェユニット１５ｂと、を備えている。また、温調装置１５は、送風機１５ａ及びペルチェユニット１５ｂの駆動を制御するコントローラ１５ｃを備えている。メインバッテリ１４は、ペルチェユニット１５ｂで温度調節されるとともに熱媒体となる外気と熱交換することにより、所定の温度に保たれる。ペルチェユニット１５ｂは、温度が相互に異なるように制御可能な第１面と第２面を備えており、本実施形態において外気は第１面と熱交換することによって温度調節される。すなわち、メインバッテリ１４を冷却する場合には、ペルチェユニット１５ｂの第１面を冷却面とすることで外気が冷却される。一方、メインバッテリ１４を加温する場合には、ペルチェユニット１５ｂの第１面を加温面とすることで外気が加温される。コントローラ１５ｃは、メインバッテリ１４の温度を監視し、冷却又は加温の必要が生じた場合には送風機１５ａ及びペルチェユニット１５ｂを駆動する。具体的に言えば、コントローラ１５ｃは、冷却の必要が生じた場合、第１面を冷却面とするようにペルチェユニット１５ｂを駆動する。一方、コントローラ１５ｃは、加温の必要が生じた場合、第１面を加温面とするようにペルチェユニット１５ｂを駆動する。メインバッテリ１４の温度調節は、主に、車両１０の走行中などのメインバッテリ１４の放電時や、車両１０の始動時に行われる。なお、メインバッテリ１４は、走行中などの放電時において主として冷却する一方で、車両１０の始動時において主として加温する。
【００１８】
また、車両１０には、メインバッテリ１４に対してＤＣ／ＤＣコンバータ１６を介して接続される補助バッテリ１７が搭載されている。ＤＣ／ＤＣコンバータ１６は、メインバッテリ１４に蓄えられた電力を、補助バッテリ１７に充電するための所定の充電用電力に変換する。補助バッテリ１７は、ＤＣ／ＤＣコンバータ１６による変換後の電力によって充電される。
【００１９】
本実施形態の温調装置１５では、ペルチェユニット１５ｂの駆動用電力が、メインバッテリ１４から供給される。すなわち、ペルチェユニット１５ｂは、メインバッテリ１４から供給される駆動用電力によって駆動する。また、本実施形態の温調装置１５では、送風機１５ａ及びコントローラ１５ｃの駆動用電力が、補助バッテリ１７から供給される。そして、本実施形態の温調装置１５は、前述のような駆動用電力の供給を受けて駆動する。なお、ペルチェユニット１５ｂの駆動用電力は、送風機１５ａ及びコントローラ１５ｃの駆動用電力よりも大きい。このため、本実施形態の温調装置１５は、駆動用電力の供給源を前述のように異ならせている。
【００２０】
そして、本実施形態の車両１０では、メインバッテリ１４に蓄えられた電力とペルチェユニット１５ｂの駆動用電力が異なることから、メインバッテリ１４に蓄えられた電力をペルチェユニット１５ｂの駆動用電力に変換し、供給する給電経路が設けられている。具体的に言えば、前記給電経路は、メインバッテリ１４→充電器１３のＤＣ／ＤＣコンバータ１３ａ→ペルチェユニット１５ｂによって構成されている。すなわち、本実施形態において充電器１３のＤＣ／ＤＣコンバータ１３ａは、外部電源１１から供給される電力をメインバッテリ１４に供給する給電経路上と、メインバッテリ１４の電力をペルチェユニット１５ｂに供給する給電経路上のそれぞれに配設されている。そして、充電器１３のＤＣ／ＤＣコンバータ１３ａは、外部電源１１から供給される電力をメインバッテリ１４の充電用電力に変換する変換器、及びメインバッテリ１４の電力をペルチェユニット１５ｂの駆動用電力に変換する変換器として兼用されている。
【００２１】
なお、メインバッテリ１４の充電方法には、普通充電と急速充電がある。普通充電は、メインバッテリ１４の温度上昇を抑制しつつ、ある程度の時間（例えば、６〜８時間）を使って充電する方法である。急速充電は、普通充電時よりも大電流を流して短時間（例えば、１５〜３０分）でメインバッテリ１４の充電を完了させるように充電する方法である。
【００２２】
以下、本実施形態の作用を説明する。
普通充電は、図１に示すように、外部電源１１と車両１０に搭載された充電器１３を充電プラグで接続することにより、充電器１３を用いて充電する。なお、本実施形態において普通充電時の外部電源１１は、家庭用電源とされる。普通充電は、前述したようにメインバッテリ１４の温度上昇を抑制しつつ充電を行う方法であるから、その充電中はメインバッテリ１４を冷却する必要性が少ない。つまり、普通充電時、充電器１３のＤＣ／ＤＣコンバータ１３ａは、外部電源１１から供給される電力をメインバッテリ１４の充電用電力に変換する変換器として動作させる。そして、普通充電時の給電経路は、図１に実線矢印で示すように、外部電源１１→充電器１３のＤＣ／ＤＣコンバータ１３ａ→メインバッテリ１４とされ、メインバッテリ１４は、ＤＣ／ＤＣコンバータ１３ａによって変換された充電用電力が供給されて充電される。
【００２３】
一方、非充電時（本実施形態では普通充電を行っていない時）には、メインバッテリ１４に対して電力が充電されることがないので、充電器１３のＤＣ／ＤＣコンバータ１３ａは充電用電力に変換する変換器として機能していない。このため、本実施形態では、走行中など、メインバッテリ１４の温度調節が必要な時、充電器１３のＤＣ／ＤＣコンバータ１３ａをペルチェユニット１５ｂの駆動用電力に変換する変換器として動作させる。すなわち、メインバッテリ１４の温度調節を行う場合の給電経路は、図１に白抜き矢印で示すように、メインバッテリ１４→充電器１３のＤＣ／ＤＣコンバータ１３ａ→ペルチェユニット１５ｂとされ、ペルチェユニット１５ｂは、ＤＣ／ＤＣコンバータ１３ａによって変換された駆動用電力が供給されて駆動される。これにより、メインバッテリ１４は、ペルチェユニット１５ｂを含む温調装置１５の駆動によって温度調節された熱媒体が供給されて、温度調節（加温又は冷却）が行われる。
【００２４】
このように本実施形態では、走行中などの非充電時に使用していなかった充電器１３のＤＣ／ＤＣコンバータ１３ａをペルチェユニット１５ｂの駆動用電力に変換する変換器として機能させる。これにより、温調装置１５の構成の簡素化を図り得る。つまり、メインバッテリ１４の電力を使ってペルチェユニット１５ｂを駆動させる場合に、メインバッテリ１４の電力を駆動用電力に変換するための変換器（ＤＣ／ＤＣコンバータ）を専用に設ける必要がない。なお、本実施形態のように充電器１３のＤＣ／ＤＣコンバータ１３ａを兼用構成とする場合、ＤＣ／ＤＣコンバータ１３ａは、図示しない制御コントローラにより、充電用電力への変換時と駆動用電力への変換時とで異なるスイッチングタイミングで制御される。
【００２５】
図２は、急速充電時の給電経路を示す。
急速充電は、図２に示すように、商業用施設などに設置された充電ステーションに備えられた急速充電専用の外部充電装置１８を用いて行われる。すなわち、急速充電時、車両１０は、外部充電装置１８と図示しない充電プラグで接続されることにより、その充電プラグを介して供給される電力によってメインバッテリ１４が充電される。そして、急速充電は、前述したように、短時間で充電を完了させるために大電流を流すことからメインバッテリ１４に温度上昇を伴う。メインバッテリ１４は、その温度が所定の温度を超えて高温になると、放電能力が低下する。その結果、充電完了後のメインバッテリ１４が高温状態である場合、その後の車両１０の走行性能が低下する可能性がある。
【００２６】
したがって、急速充電時には、充電と同時にメインバッテリ１４を冷却することが好ましく、本実施形態においては車両１０に搭載されている温調装置１５を駆動させてメインバッテリ１４を冷却する。すなわち、冷却時は、前述した走行中などと同様に、メインバッテリ１４の電力を使って温調装置１５のペルチェユニット１５ｂを駆動させる。つまり、メインバッテリ１４の温度調節を行う場合の給電経路は、図２に白抜き矢印で示すように、メインバッテリ１４→充電器１３のＤＣ／ＤＣコンバータ１３ａ→ペルチェユニット１５ｂとされ、ペルチェユニット１５ｂは、ＤＣ／ＤＣコンバータ１３ａによって変換された駆動用電力が供給されて駆動される。これにより、メインバッテリ１４は、ペルチェユニット１５ｂを含む温調装置１５の駆動によって温度調節された熱媒体が供給されて、温度調節（この場合は冷却）が行われる。このように本実施形態では、急速充電時に使用していなかった充電器１３のＤＣ／ＤＣコンバータ１３ａをペルチェユニット１５ｂの駆動用電力に変換する変換器として機能させることで、構成の簡素化を図り得る。
【００２７】
したがって、本実施形態によれば、以下に示す効果を得ることができる。
（１）メインバッテリ１４の電力を充電器１３のＤＣ／ＤＣコンバータ１３ａにてペルチェユニット１５ｂの駆動用電力に変換し、その変換後の電力を温調装置１５に供給する。すなわち、ペルチェユニット１５ｂの駆動用電力を得るために、専用の変換器（ＤＣ／ＤＣコンバータ）を設ける必要がない。したがって、温調装置１５の構成を簡素化することができる。
【００２８】
（２）また、メインバッテリ１４及び温調装置１５を含む電池パック１２の構成も簡素化することができる。
（３）そして、走行中など、メインバッテリ１４の放電時には、充電器１３のＤＣ／ＤＣコンバータ１３ａで変換された電力を使ってペルチェユニット１５ｂを駆動させることで、メインバッテリ１４の温度調節を行うことができる。したがって、メインバッテリ１４の放電性能の低下を抑制することができる。
【００２９】
（４）また、メインバッテリ１４の温度上昇を伴う急速充電時には、充電器１３のＤＣ／ＤＣコンバータ１３ａで変換された電力を使ってペルチェユニット１５ｂを駆動させることで、メインバッテリ１４の温度調節を行うことができる。したがって、急速充電後のメインバッテリ１４の放電性能の低下を抑制することができる。そして、車両１０においては、急速充電後、走行性能（最高速、加速性）を低下させることなく、走行を行うことができる。
【００３０】
（５）車両１０に搭載されている充電器１３のＤＣ／ＤＣコンバータ１３ａを使ってペルチェユニット１５ｂを駆動させる。したがって、専用の変換器（ＤＣ／ＤＣコンバータ）を設ける必要がないので、車両１０としても構成を簡素化することができる。また、メインバッテリ１４の温度調節により、車両１０の走行性能の低下を抑制することができる。
【００３１】
（６）また、車両１０の構成を簡素化することにより、車両重量の低減に貢献することができる。したがって、走行性能（燃費、加速性など）の向上を図ることができる。
なお、上記実施形態は以下のように変更してもよい。
【００３２】
○  実施形態において、普通充電時に充電器１３に接続される外部電源１１は、家庭用電源でも良いし、充電ステーションの充電装置でも良い。
○  実施形態は、車両としてＥＶ車に適用しても良い。また、蓄電池を搭載し、その蓄電池の電力で電動機を駆動させる車両、例えばフォークリフトなどの産業用車両に適用しても良い。
【００３３】
○  温調装置を、液冷媒を用いて温度調節する構成としても良い。具体的に言えば、液冷媒を供給するポンプと、ポンプから供給された液冷媒を冷却又は加温する装置（ペルチェユニットやヒータ）とから温調装置を構成しても良い。このとき、ペルチェユニットを採用する場合は、実施形態と同様にペルチェユニットの駆動用電力をメインバッテリ１４から供給し、ポンプの駆動用電力を補助バッテリ１７から供給する。また、加温用としてヒータを採用する場合は、ヒータの駆動用電力を補助バッテリ１７から供給する。
【００３４】
○  温調装置を、熱媒体となり得る流体（外気や液冷媒）を単にメインバッテリ１４へ供給する送風機やポンプで構成し、これらの送風機やポンプをＤＣ／ＤＣコンバータ１３ａで変換した駆動用電力で駆動させても良い。この場合には、ＤＣ／ＤＣコンバータ１６や補助バッテリ１７を設けなくても良く、メインバッテリ１４から供給する駆動用電力で送風機やポンプを駆動させることができる。また、ポンプに対して加温用の液冷媒と冷却用の液冷媒とを流路の切り替えによって供給するような構成であって、流路を切り替えるための切替弁を有する場合、その切替弁についてもメインバッテリ１４から供給する駆動用電力で駆動させても良い。
【００３５】
○  また、温調装置を、加温用にヒータを備えるとともに冷却用に送風機やラジエタなどの熱交換器を有する構成とした場合に、ヒータや送風機を、メインバッテリ１４から供給する駆動用電力で駆動させても良い。また、温調装置を、加温用として車両に存在する熱源体の熱を利用するとともに、冷却用に送風機やラジエタなどの熱交換器を有する構成とした場合に、送風機を、メインバッテリ１４から供給する駆動用電力で駆動させても良い。
【００３６】
○  実施形態の温調装置１５を、走行中などの非充電時における冷却又は加温専用の装置として具体化しても良い。また、実施形態の温調装置１５を、急速充電時専用の装置として具体化しても良い。
【００３７】
次に、上記実施形態及び別例から把握できる技術的思想を以下に追記する。
（イ）外部電源から供給される電力を前記蓄電池に充電する電力に変換する電力変換装置を有し、前記電力変換装置で変換した電力を前記蓄電池に充電する充電装置において、前記電力変換装置が備える直流−直流変換器を、前記蓄電池に充電する電力に変換する変換器と、前記蓄電池の電力を、前記蓄電池と熱交換を行う熱媒体によって前記蓄電池の温度調節を行う電池温度調節機構の駆動用電力に変換する変換器と、に兼用したことを特徴とする充電装置。
【符号の説明】
【００３８】
１０…車両、１１…外部電源、１３…充電器、１３ａ…ＤＣ／ＤＣコンバータ、１４…メインバッテリ、１５…電池温度調節装置、１５ａ…送風機、１５ｂ…ペルチェユニット、１５ｃ…コントローラ。
【図１】
0005780151.tif 000002
【図２】
0005780151.tif 000003